【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
複数の単電池（２０）と、
複数の前記単電池を収容する電池ケース（２１）と、
前記電池ケースの外部に設けられて、前記電池ケースの外部の空気を内部に引き込んで複数の前記単電池を冷却する空気流れを形成する送風装置（３）と、
前記電池ケースの外部に設けられる電子部品（４，５）と、
を備え、
前記送風装置は、前記電池ケースの内部と連通して前記電池ケースの外部の空気を前記電池ケースの内部を経由して吸い込む吸込み部（３３０）と、異なる複数の方向に空気を吹き出す吹出し部（３５）とを有し、
前記電子部品は、前記吹出し部よりも空気流れの下流に設けられており、
前記送風装置は、ファン（３０）の径外方向に放射状に空気を吹き出すターボファンを有し、
前記ファンは、前記吹出し部に対向する位置に設けられた前記電子部品に対して傾いた姿勢で設置されている電池装置。
【請求項２】
前記ファンの全体は、前記吹出し部に対向する位置に設けられた前記電子部品に対して空気吹出し方向に重なるように設置されている請求項１に記載の電池装置。
【請求項３】
前記電池ケースの内部において最も下流に位置する下流通路（２２３）は、前記吸込み部よりも下方に位置している請求項１または請求項２に記載の電池装置。
【請求項４】
複数の単電池（２０）と、
複数の前記単電池を収容する電池ケース（２１）と、
前記電池ケースの外部に設けられて、前記電池ケースの外部の空気を内部に引き込んで複数の前記単電池を冷却する空気流れを形成する送風装置（３）と、
前記電池ケースの外部に設けられる電子部品（４，５）と、
を備え、
前記送風装置は、前記電池ケースの内部と連通して前記電池ケースの外部の空気を前記電池ケースの内部を経由して吸い込む吸込み部（３３０）と、異なる複数の方向に空気を吹き出す吹出し部（３５）とを有し、
前記電子部品は、前記吹出し部よりも空気流れの下流に設けられており、
前記送風装置は、ファン（３０）の径外方向に放射状に空気を吹き出すターボファンを有し、
前記電池ケースの内部において最も下流に位置する下流通路（２２３）は、前記吸込み部よりも下方に位置し、
前記送風装置は、前記吸込み部が前記下流通路に向くように傾いた姿勢で設置されている電池装置。
【請求項５】
前記ファンの全体は、前記吹出し部に対向する位置に設けられた前記電子部品に対して空気吹出し方向に重なるように設置されている請求項４に記載の電池装置。
【請求項６】
前記ファンは、前記吹出し部に対向する位置に設けられた前記電子部品に対して傾いた姿勢で設置されている請求項４または請求項５に記載の電池装置。
【請求項７】
前記電子部品は、前記単電池に接続されている電池側端子（４０）と、前記電子部品において前記電池側端子が設けられている部位（４２２）と対向する部位（４２３）に設けられて、負荷に接続されている負荷側端子（４１）とを有し、
前記ファンは、前記電子部品において前記電池側端子と前記負荷側端子との間を占める部分（ＡＲ１）に重なるように設置されている請求項１から請求項６のいずれか一項に記載の電池装置。
【請求項８】
複数の単電池（２０）と、
複数の前記単電池を収容する電池ケース（２１）と、
前記電池ケースの外部に設けられて、前記電池ケースの外部の空気を内部に引き込んで複数の前記単電池を冷却する空気流れを形成する送風装置（３）と、
前記電池ケースの外部に設けられる電子部品（４，５）と、
を備え、
前記送風装置は、前記電池ケースの内部と連通して前記電池ケースの外部の空気を前記電池ケースの内部を経由して吸い込む吸込み部（３３０）と、異なる複数の方向に空気を吹き出す吹出し部（３５）とを有し、
前記電子部品は、前記吹出し部よりも空気流れの下流に設けられており、
前記送風装置は、ファン（３０）の径外方向に放射状に空気を吹き出すターボファンを有し、
前記ファンの全体は、前記吹出し部に対向する位置に設けられた前記電子部品に対して空気吹出し方向に重なるように設置されており、
前記電子部品は、前記単電池に接続されている電池側端子（４０）と、前記電子部品において前記電池側端子が設けられている部位（４２２）と対向する部位（４２３）に設けられて、負荷に接続されている負荷側端子（４１）とを有し、
前記ファンは、前記電子部品において前記電池側端子と前記負荷側端子との間を占める部分（ＡＲ１）に重なるように設置されている電池装置。
【請求項９】
前記電子部品は、複数の前記単電池に対する電流を制御可能な部品であるリレー装置（４）を含んでいる請求項１から請求項８のいずれか一項に記載の電池装置。
【請求項１０】
前記電子部品は、複数の前記単電池に対する入出力を制御する電池制御装置（５）をさらに含んでいる請求項９に記載の電池装置。
【手続補正２】
【補正対象書類名】明細書
【補正対象項目名】０００７
【補正方法】変更
【補正の内容】
【０００７】
開示された電池装置のひとつは、複数の単電池（２０）と、複数の単電池を収容する電池ケース（２１）と、電池ケースの外部に設けられて、電池ケースの外部の空気を内部に引き込んで複数の単電池を冷却する空気流れを形成する送風装置（３）と、電池ケースの外部に設けられる電子部品（４，５）と、を備え、
送風装置は、電池ケースの内部と連通して電池ケースの外部の空気を電池ケースの内部を経由して吸い込む吸込み部（３３０）と、異なる複数の方向に空気を吹き出す吹出し部（３５）とを有し、電子部品は、吹出し部よりも空気流れの下流に設けられており、送風装置は、ファン（３０）の径外方向に放射状に空気を吹き出すターボファンを有し、ファンは、吹出し部に対向する位置に設けられた電子部品に対して傾いた姿勢で設置されている。
【手続補正３】
【補正対象書類名】明細書
【補正対象項目名】０００９
【補正方法】変更
【補正の内容】
【０００９】
開示された電池装置のひとつは、複数の単電池（２０）と、複数の単電池を収容する電池ケース（２１）と、電池ケースの外部に設けられて、電池ケースの外部の空気を内部に引き込んで複数の単電池を冷却する空気流れを形成する送風装置（３）と、電池ケースの外部に設けられる電子部品（４，５）と、を備え、
送風装置は、電池ケースの内部と連通して電池ケースの外部の空気を電池ケースの内部を経由して吸い込む吸込み部（３３０）と、異なる複数の方向に空気を吹き出す吹出し部（３５）とを有し、電子部品は、吹出し部よりも空気流れの下流に設けられている。
送風装置は、ファン（３０）の径外方向に放射状に空気を吹き出すターボファンを有し、
ファンの全体は、吹出し部に対向する位置に設けられた電子部品に対して空気吹出し方向に重なるように設置されており、
電子部品は、単電池に接続されている電池側端子（４０）と、電子部品において電池側端子が設けられている部位（４２２）と対向する部位（４２３）に設けられて、負荷に接続されている負荷側端子（４１）とを有し、
ファンは、電子部品において電池側端子と負荷側端子との間を占める部分（ＡＲ１）に重なるように設置されている。
【手続補正４】
【補正対象書類名】明細書
【補正対象項目名】００１０
【補正方法】変更
【補正の内容】
【００１０】
開示された電池装置のひとつは、複数の単電池（２０）と、複数の単電池を収容する電池ケース（２１）と、電池ケースの外部に設けられて、電池ケースの外部の空気を内部に引き込んで複数の単電池を冷却する空気流れを形成する送風装置（３）と、電池ケースの外部に設けられる電子部品（４，５）と、を備え、
送風装置は、電池ケースの内部と連通して電池ケースの外部の空気を電池ケースの内部を経由して吸い込む吸込み部（３３０）と、異なる複数の方向に空気を吹き出す吹出し部（３５）とを有し、電子部品は、吹出し部よりも空気流れの下流に設けられている。
送風装置は、ファン（３０）の径外方向に放射状に空気を吹き出すターボファンを有し、
電池ケースの内部において最も下流に位置する下流通路（２２３）は、吸込み部よりも下方に位置し、送風装置は、吸込み部が下流通路に向くように傾いた姿勢で設置されている。